Podtech/llm-jp-corpus-v4-ja_patent huggingface dataset:
(57)【要約】      （修正有）【課題】通信・広告及び夜間でも簡単に活用できる携帯型係留熱気球を提供する。【解決手段】グラファイト（カーボン）シート３及び多層で複数のガス袋１１を含んで構成される携帯型係留熱気球であって、有機薄膜フレキシブル太陽電池１及び防水電源コード２をグラファイト（カーボン）シート３の外側に接合シール４で装着する。電源ＳＷ５を操作して、有機薄膜フレキシブル太陽電池１及び電源６から供給した電力で循環タンク７よりポンプ８で汲み上げた水をスチーム発生器９で加熱させ、過熱水蒸気をグラファイト（カーボン）シート製ホース１０を経由して、多層で複数のガス袋１１に充填する。【選択図】図１
0003218731.tif 000002
【実用新案登録請求の範囲】
【請求項１】
有機薄膜フレキシブル太陽電池を設けた携帯型係留熱気球
【考案の詳細な説明】
【考案の詳細な説明】
【技術分野】
【０００１】広告用具分野
【背景技術】
【０００２】  従来、防炎加工をした塩化ビニル等の生地を用いた、気密性のガス袋に空気よりも軽い不活性気体のヘリウムガスを充填して、ロープで任意の高さを空中に浮遊させていたが、係留気球としての機能が低く、活用するのに制限があった。
【考案の開示】
【考案が解決しようとする課題】
【０００３】  本案は、その欠点を除いて、しかも機能を活かした気球を開発しようとするものである。
【課題を解決するための手段】
【０００４】  いま、その解決手段を図面を追いながら説明すれば
（イ）  有機薄膜フレキシブル太陽電池（１）及び防水電源コード（２）をグラファイト（カーボン）シート（３）の外側に接合シール（４）で装着する。
（ロ）  電源ＳＷ（５）を操作して、有機薄膜フレキシブル太陽電池（１）及び電源（６）から供給した電力で循環タンク（７）よりポンプ（８）で汲み上げた水をスチーム発生器（９）で加熱させ、過熱水蒸気をグラファイト（カーボン）シート製ホース（１０）を経由して、多層で複数のガス袋（１１）に充填する。
（ハ）  ロープ（１２）を操作して、排気冷却口（１３）より水蒸気を排気して、任意の高さを空中に浮遊させ杭（１４）で固定する。ガス袋（１１）の空気孔（１５）より排水をグラファイト（カーボン）シート製ホース（１０）を経由して循環タンク（７）に戻して再利用する。本体（１６）に内蔵した有機ＥＬ（Ｅｌｅｃｔｒｏ  Ｌｕｍｉｎｅｓｃｅｎｃｅ）照明（１７）を駆動して制御する。
【考案の効果】
【０００５】  本案は、以上のような構造であるから、これを使用する事により、通信・広告及び夜間でも簡単に活用できる係留熱気球である。
【考案を実施するための最良の形態】
【実施例】
【０００６】  なお、本案の実施にあたって次の如きことができる。
（イ）  有機薄膜フレキシブル太陽電池（１）の廃熱をグラファイト（カーボン）シート（３）を通して気球内に素早く伝導し、空中を浮遊する事ができる。
【図面の簡単な説明】
【０００７】
【図１】本考案の気球の正面図
【符号の説明】
【０００８】（１）有機薄膜フレキシブル太陽電池（２）防水電源コード
（３）グラファイト（カーボン）シート（４）接合シール（５）電源ＳＷ
（６）電源（７）循環タンク（８）ポンプ（９）スチーム発生器
（１０）グラファイト（カーボン）シート製ホース（１１）ガス袋（１２）ロープ
（１３）排気冷却口（１４）杭（１５）空気孔（１６）本体
（１７）有機ＥＬ照明
【図１】
0003218731.tif 000003
【手続補正書】
【提出日】平成30年6月16日(2018.6.16)
【手続補正１】
【補正対象書類名】実用新案登録請求の範囲
【補正対象項目名】全文
【補正方法】変更
【補正の内容】
【実用新案登録請求の範囲】
【請求項１】
有機薄膜フレキシブル太陽電池を設けた多層で複数のガス袋を有する携帯型係留熱気球
【手続補正書】
【提出日】平成30年8月17日(2018.8.17)
【手続補正１】
【補正対象書類名】実用新案登録請求の範囲
【補正対象項目名】全文
【補正方法】変更
【補正の内容】
【実用新案登録請求の範囲】
【請求項１】
グラファイト（カーボン）シート及び多層で複数のガス袋を含んで構成される携帯型係留熱気球であって、有機薄膜フレキシブル太陽電池が前記グラファイト（カーボン）シートの外側に接合シールで装着されることを特徴とする携帯型係留熱気球
(57)【要約】      （修正有）【課題】各種手袋を使う作業において、指先が乾燥することによりひび割れ等を起こすのを抑制するための指先荒れ防止用ポリ内手袋を提供する。【解決手段】ポリ製の手袋の生地に微小の無数の穴が空いたものを使用することにより適度な湿度を保ち、汚れを防止し、指先の荒れを防止する。【選択図】図１
0003218732.tif 000002
【実用新案登録請求の範囲】
【請求項１】
生地として微小な穴が開いた生地を使用した内手袋
【考案の詳細な説明】
【技術分野】
【０００１】
本発明は各種手袋を使う作業において、指先が乾燥することによりひび割れ等を起こすのを抑制するための指先荒れ防止用ポリ内手袋に関するものである。
【背景技術】
【０００２】
従来指先が荒れるのを防止する内手袋としては綿、ゴム、ポリ製のものが主に使われてきた。
【先行技術文献】
【特許文献】
【０００３】
【特許文献１】特開2010-024553特開2005-095116
【考案の概要】
【考案が解決しようとする課題】
【０００４】
綿製のものは保湿性が悪く夏場はなんとか使えるが、春秋冬などの期間は指先の乾燥を引き起こし指先が割れたりする。また指先の汚れについても仕事の内容によるがあまり防止できない。 またゴム製のものは保湿性が高く破れない限り汚れもほとんどないのだが保湿性が高すぎて指先など蒸れてふやけてしまいかえって指先を荒らしてしまったりすることになる。またその密着性により着脱は面倒で休憩時間にいちいち着脱するのは手間がかかる。 最後にポリ製のものであるが 密着性はゴム手袋ほどはなく着脱はゴム手袋に比べるとだいぶ楽だが保湿性はゴム手袋と同じ様に高く指先が蒸れ、ふやけることによって荒れるのを防止できない。
【課題を解決するための手段】
【０００５】
ポリ手袋の生地に小さな無数の穴が開いた生地を利用することで蒸れを解消し適度な保湿性を保つことによって指先の荒れと汚れを防止します。
【考案の効果】
【０００６】
作業時の手袋内部を適度な湿度に保つことが可能となり、それによって手先の荒れを防止します。
【図面の簡単な説明】
【０００７】
【図１】ポリ手袋の全体図です。
【実施例】
【０００８】
各種手袋を装着する前に内手袋として装着します。
【産業上の利用可能性】
【０００９】
生産方式としては、現ポリ手袋生産過程において、ポリ生地として微小の無数の空いたものを使用します。
【図１】
0003218732.tif 000003
(57)【要約】      （修正有）【課題】強い結合力を持った、介護者と被介護者を係留する係留スリングを提供する。【解決手段】介護者と被介護者の体を織物のテープで繋ぐ係留スリングであって、テープ上の同一面両端末にデユアルバックルを１組ずつ配しそれぞれ隣接したオスＡ’、Ｂ’とメスＡ、Ｂとを接続して二つの任意な輪を形成でき、デユアルバックルを同方向に向けた直列にセットした事によりテープ末端のオスＢ’とメスＡも接続でき、任意な一つの輪を形成できる。【選択図】図１
0003218733.tif 000002
【実用新案登録請求の範囲】
【請求項１】
介護者と被介護者の体をテープで繋ぐ係留スリングであって、使用目的に合った長さ例えば３ｍ程のテープ上に樹脂のデユアルバックルを図１の様に同じ面側に同じ方向を向けて２個配し、バックルを構成するオス、メス４つの部品がテープ上を無段階に移動ロックすることで必要な大きさの輪が左右２個形成され、また端末のオスと他方の端末メスをセットすることで大きさが変えられる１つの輪が形成されることを特徴とする介護用ベルト。
【考案の詳細な説明】
【技術分野】
【０００１】被介護者を移動する際に用いる介護者と被介護者を係留するベルトに関する。
【背景技術】
【０００２】従来の被介護者を移動する方法としては、予め取手の付いたハーネスを被介護者に装着して介護者が持ち易い様に準備しておく。
又は腰への負担を避けて２人組で行う。
或いは予め天井に大がかりな移動リフトの設備を備えハンモック等で吊り下げて移動する。
【先行技文献】
【特許文献】
【０００３】
【特許文献１】実用新案登録第３１３８６５８号
【特許文献２】実用新案登録第３１４７４３１号
【考案の概要】
【考案が解決しようとする課題】
【０００４】介護現場ではトイレ、着替え、敷布交換、診療等日常的に被介護者を移動する必要性が多く、この結果多くの介護者が日常的に腰へ過度の負担をかけ腰痛、肩痛に悩まされる。
特に女子の単独介護のケースでは腰のトラブルが多く社会問題にも成っている。
【課題を解決するための手段】
【０００５】介護に必要とする長さのテープに移動式デユアル樹脂バックルを同面上に同方向に向けて２個取り付け、２個のバックルを構成する４つの部品がそれぞれテープ上を無段階に移動し、強い結合力を持った任意の大きさの輪形を２個作り出すことが出来る。【０００６】また両端のデユアルバックルの方向が同じ向きにセットして有るのでテープ端末のオスと他方の端末メスが接合できる。
これによって構成される一つの輪はテープの長さいっぱいを最大とし、樹脂バックル同士がぶつかり合う迄の最小の輪迄無段階に変更しロックされる。
介護者と被介護者を長さ調節したテープの輪でバックル結束し、介護者の体全体を以て移動できるので腕や腰部への過度な負担を避けることが出来る。【０００７】デユアルバックルとはオス、メス２つの部品が結合して１個のバックルを構成するが接続する２つの部品が別々にテープ上を移動でき、任意の位置でそれぞれがロック可能なバックルである。
結合を完了した際にバックルの位置を常に希望最適の位置に置くことが出来るポリカーボネイトやナイロン素材で成形された強度の高い樹脂成型部品である。
【考案の効果】
【０００８】本考案は介護現場で介護者が被介護者を適宜容易にベルトで係留して移動する際腰への負担を避ける目的であるが、例えば被介護者の散歩を同伴する時２つの輪でお互いを係留しておけば突然の卒倒にも重大な被害が防げるばかりでなく転倒した被介護者を即座に移動、運搬できる。
さまざまな強い輪形が簡単に形成されると云うことは日常的にきわめて有効である。【０００９】階段や足場の悪いまた狭い通路で重い荷物を運ぶ際、重さに依っては肩に担ぐ為の大きな体力が必要である。
運搬者の肩と荷を本考案で接続した輪に通し脇に抱えれば最小限の体力で運搬することが可能である。【００１０】例えば自転車を運ぶ際先ず先に腕が疲れてしまう。
体幹に近い肩と自転車の重量を直接繋ぐので腕はバランスをとるだけで疲労が少ない。
重量物を体幹の最も近い位置に置くと云う事は運搬上最も効率的な方法と言える。
本考案は多目的であり日常的に用途は広く存在する。【００１１】
【図面の簡単な説明】
【００１２】
【図１】本考案介護ベルトの正面図である。
【図２】本考案介護ベルトの側面図である。
【図３】本考案で２つの輪を形成した側面図である。
【図４】本考案で１つの輪を形成した側面図である。
【考案を実施するための形態】
【００１３】目的に必要な長さを持つテープ上に２個のデユアルバックルを同一面、同一方向にセットする。
【実施例】
【００１５】２個組み込んだテープ上の１つのデアルバックルのオス、メスの間隔を必要とする輪の距離に広げ介護者の肩と脇を通ってバックルをロックし端末のテープを引いて締める。同じ様にもう一方のバックルを被介護者にロックしてお互いを係留する。【００１６】介護者が被介護者を抱きかかえる様に使用する場合はテープ上の両端のオスメスをロックし大きな輪の中で二人を密着して係留する。
【符号の説明】
【００１７】１、  係留テープ
Ａ    デユアルバックルのメス側。
Ａ’  デユアルバックルのオス側。
Ｂ    もう一方の対応するデユアルバックルのメス側。
Ｂ’  もう一方の対応するデユアルバックルのオス側。
【図１】
0003218733.tif 000003
【図２】
0003218733.tif 000004
【図３】
0003218733.tif 000005
【図４】
0003218733.tif 000006
【手続補正書】
【提出日】平成30年8月17日(2018.8.17)
【手続補正１】
【補正対象書類名】実用新案登録請求の範囲
【補正対象項目名】全文
【補正方法】変更
【補正の内容】
【実用新案登録請求の範囲】
【請求項１】
介護者と被介護者の体を織物のテープで繋ぐ係留スリングであってテープ上の同一面両端末にデユアルバックルを１組ずつ配しそれぞれ隣接したオスメスと接続して二つの任意な輪を形成できるがデユアルバックルを同方向に向けた直列にセットした事によりテープ末端のオスとメス部品も接続でき任意な一つの輪を形成できることを特徴とした係留スリング。
(57)【要約】      （修正有）【課題】トイレットペーパーの先端を、紙切板を上に上げることなく簡単に、片手で引き出せるうえ、トイレットペーパーを容易に切る事が出来るトイレットペーパーホルダーを提供する。【解決手段】トイレットペーパーホルダーの紙切板のカッター２が緩やかな曲線（半径７．５センチ〜９．５センチ）を描いていて、さらに、トイレットペーパー切断後に、トイレットペーパーが巻き戻らないように、もどし７が付いている。【選択図】図２
0003218755.tif 000002
【実用新案登録請求の範囲】
【請求項１】
トイレットペーパーホルダーの紙切板１が透明で、ペーパーカッター２と共にその形状が、半径７．５センチ〜９．５センチの緩やかな曲線を描いている山型の空間部分４を有し、その紙切板内側には、トイレットペーパーを切った後にトイレットペーパーが本体へ巻き戻る事を防ぐためのもどし７が付いていることを特徴とするトイレットペーパーホルダー。
【考案の詳細な説明】
【技術分野】
【０００１】  本考案は、トイレットペーパーの先端を、紙切板１を上に上げることなく簡単に、片手で引き出せるうえ、トイレットペーパーを容易に切る事が出来るトイレットペーパーホルダーに関するものである。
【背景技術】
【０００２】  従来のトイレットペーパーホルダーに付属する紙切板は、横一直線になっていて、使用する際は、トイレットペーパーの先端を引き出すのにトイレットペーパーホルダーの紙切板１を一度上に上げ、トイレットペーパーを引き出し、紙切板１を下ろし、紙切板１を押さえながら、トイレットペーパーを切るという構造であった。
【先行技術文献】
【０００３】
【公開特許公報（Ａ）】
特開２０１３−５２２０６（Ｐ２０１３−５２２０６Ａ）
【考案の概要】
【考案が解決しようとする課題】
【０００４】  従来技術によるトイレットペーパーホルダーは、紙切板１を一度、持ち上げなければ、トイレットペーパーの先端を特定し引き出す事が出来ないと言う欠点があった。
この動作により、トイレットペーパーホルダーに必要以上に触れることによる衛生面での問題があった。また手指の不自由なものにとっては、そもそも引き出すことが困難である。また健常者であっても、紙切板のカッター部が手指に触れる可能性があり、そのために切傷を負う場合もあった。
【課題を解決するための手段】
【０００５】    上記の問題を解決するために本発明は、トイレットペーパーの紙切板１が（半径７．５センチ〜９．５センチ）のように緩やかな曲線を描いているトイレットペーパーホルダーを考案した。
半径８．５センチ前後の曲線のカッター２がトイレットペーパーを抵抗なく切りやすくかつ、容易に指を入れやすい空間４を有している。
なぜ、半径７．５センチ〜９．５センチと言うと、半径９．６センチ以上では空間部分が狭く、指が入れにくく、反対に半径７．４センチ以下では曲線が急なためトイレットペーパーが切りにくくなる。大人でも子供でも誰でも指を入れる事が出来て、抵抗なくトイレットペーパーを切ることが可能な曲線が半径７．５センチ〜９．５センチの曲線である。
さらにトイレットペーパーを切断した後も、トイレットペーパーの切り口がトイレットペーパー本体に、ピタリと貼り付いてしまう事を防ぐため、もどし７がついている。たとえくっついたとしても、空間部４、から容易にとり出せる。
【考案の効果】
【０００６】  このトイレットペーパーホルダーは、紙切板を上げることなく、トイレットペーパーの先端部分を容易に特定し、無駄な動作がなく衛生的に簡単に片手で引き出せる利点がある。特に手や指先が怪我や病などで不自由な方には大変有効で、紙切板が透明であるためトイレットペーパーの先端を特定しやすく、また山型の空間があるため、そこから片手で容易に引き出すことが出来る。
【図面の簡単な説明】
【０００７】
【図１】  本考案に係るトイレットペーパーホルダーの全体図である。
【図２】  紙切板の斜視図である。
【図３】  トイレットペーパーを装着した全体図である。
【図４】  紙切板内側のもどしの図である。
【図５】  カッターが金属性の図
【考案を実施するための形態】
【０００８】図１ないし図２、図３、図４，図５、は本発明に係るトイレットペーパーホルダーの実施例を示す。図２において紙切板が従来の横一直線とは異なり緩やかな曲線を描いていて、内側にもどしがついている。
【実施例】
【０００９】以下、添付図面に従って一実施例を説明する。１、２は耐久性及び透明プラスチック適宜素材にて一体化形成された緩やかな曲線を描いているトイレットペーパーカッターである。【００１０】７は１と一体化していて透明プラスチック適宜素材で構成されている。【００１１】６は耐久性プラスチック適宜素材で構成されている。【００１２】図５の紙切板は、耐久性及び透明プラスチック適宜素材で構成されているが、カッター８は金属素材である。
【符号の説明】
【００１３】１  紙切板
２  透明プラスチックカッター
３  トイレットペーパー
４  空間部分
５  心棒
６  本体
７  もどし
８  金属性のカッター
【図１】
0003218755.tif 000003
【図２】
0003218755.tif 000004
【図３】
0003218755.tif 000005
【図４】
0003218755.tif 000006
【図５】
0003218755.tif 000007
(57)【要約】      （修正有）【課題】使いやすく、デザイン性に優れた蓋摘みを提供する。【解決手段】鉄瓶等の蓋を取るための蓋摘み１０であって、Ｕ字形状の引掛部１２と、引掛部１２よりも厚みがある持手部１１とを備え、持手部１１は、彫り込まれた図柄部を有し、図柄部は金箔１４及び／又はプラチナ箔１５が箔貼りされている。【選択図】図１
0003218712.tif 000002
【実用新案登録請求の範囲】
【請求項１】
鉄瓶等の蓋を取るための蓋摘みであって、
Ｕ字形状の引掛部と、前記引掛部よりも厚みがある持手部とを備え、
前記持手部は、彫り込まれた図柄部を有し、
前記図柄部は金箔又はプラチナ箔が箔貼りされていることを特徴とする蓋摘み。
【請求項２】
前記金箔又はプラチナ箔は、二重以上に重ねられていることを特徴とする請求項１記載の蓋摘み。
【請求項３】
前記図柄部は、手彫りであることを特徴とする請求項１又は２記載の蓋摘み。
【請求項４】
前記図柄部は、小枝に花を付けたものであり、前記小枝の部分は金箔が貼られ、前記花の部分はプラチナ箔が貼られていることを特徴とする請求項１〜３のいずれかに記載の蓋摘み。
【考案の詳細な説明】
【技術分野】
【０００１】
本考案は、鉄瓶等の湯沸かしの蓋や釜の蓋等を取り扱うのに用いられる蓋摘みに関する。
【背景技術】
【０００２】
鉄瓶等は鉄の鋳物で造られていて、湯沸かしとして使用されているが、蓋も鋳物製の場合が多く、湯を沸かした際に熱くなり、素手で摘むことができなくなる場合がある。
近年は鉄瓶に金，銀等の貴金属を施したものや、金製や銀製の高級な湯沸かしも提案されている。
【０００３】
この種の湯沸かしにおいては、蓋に根元側が縮径した首部を有する突起状の摘み部を有していることから、この首部を両側から挟み込むように引っ掛けて、この蓋を持ち上げるようにして取り扱う蓋摘みと称されている器具が使用されている。
【０００４】
例えば特許文献１には、鍋蓋の蓋取り具が開示されているが従来から使用されているものは、デザイン性に劣り高級感が無かった。
【先行技術文献】
【特許文献】
【０００５】
【特許文献１】実開昭５５−１３９８１８号公報
【考案の開示】
【考案が解決しようとする課題】
【０００６】
本考案は使いやすく、デザイン性に優れた蓋摘みの提供を目的とする。
【課題を解決するための手段】
【０００７】
本考案に係る蓋摘みは、鉄瓶等の蓋を取るための蓋摘みであって、Ｕ字形状の引掛部と、前記引掛部よりも厚みがある持手部とを備え、前記持手部は、彫り込まれた図柄部を有し、前記図柄部は金箔又はプラチナ箔が箔貼りされていることを特徴とする。
【０００８】
ここで金箔とは、純金やその合金を延金，上澄，箔打等の工程を経て、厚み１０，０００分の２〜５ｍｍの箔にしたものをいい、プラチナ箔はプラチナを金箔と同様の工程を経て箔にしたものをいう。
【０００９】
本考案においては、持手部が引掛部よりも厚みがあるので重厚感が得られ使い易い。
また、図柄が彫り込まれ、その凹部に金箔やプラチナ箔が接着剤等にて箔貼りされているので、高級感があるとともに箔がこすれ等により剥がれるのを防ぐ。
【００１０】
本発明において、金箔やプラチナ箔が二重以上に重ね貼りされていると、より好ましく、図柄の彫り込みを手彫りにすると、その彫り込み形状に凹凸が生じ高級感が出る。
本考案において、蓋摘みの引掛部と持手部は別体でもよく、鋳物等にて一体的に製作してもよい。
鋳物の場合に鉄や銅合金が使用される。
【００１１】
本考案において、図柄に何ら制限がない。
例えば日本で古くから親しまれている点で、植物や動物等でもよく、前記図柄部は、小枝に花を付けたものであり、前記小枝の部分は金箔が貼られ、前記花の部分はプラチナ箔が貼られていてもよい。
また、Ｕ字形状の引掛部はカニのはさみ形状や、カブトムシ等の昆虫のはさみ形状にしてもよい。
【考案の効果】
【００１２】
本考案に係る蓋摘みは、持手部に図柄を彫り込み、金箔やプラチナ箔を箔貼りされているので、高級感があるとともに箔が剥がれにくく使い易い。
【図面の簡単な説明】
【００１３】
【図１】本考案に係る蓋摘みの外観斜視図を示す。
【図２】（ａ）は平面視、（ｂ）は側面視、（ｃ）はＡ−Ａ線断面図を示す。
【図３】彫り込み部の断面図を示す。
【図４】蓋摘みの写真を示す。
【図５】図４の図柄部の拡大図を示す。
【考案を実施するための最良の形態】
【００１４】
本考案に係る蓋摘みの構造例を以下、図に基づいて説明するが本考案はこれに限定されない。
【００１５】
本考案に係る蓋摘み１０の斜視図を図１に示し、参考として試作した蓋摘み１０の写真を図４，５に示す。
蓋摘み１０は、持手部１１とその先に一体的に形成した引掛部１２を有する。
引掛部１２は、鉄瓶の蓋に有する摘み部の首部が挿し込まれる一対の爪部１２ａ，１２ｂで略Ｕ字形状に形成されている。
Ｕ字形状の引掛部１２の基部側には、一対の爪部１２ａ，１２ｂの間隔ｄよりもやや大きい略円形状の載置凹部１２ｃを有する。
これにより蓋の摘み部が安定保持される。
【００１６】
持手部１１は、図２（ｂ）に側面視を示すように引掛部１２より厚みがあり、図２（ｃ）にＡ−Ａ線断面図を示すように平たい、やや厚みのある楕円断面形状になっていて、手で摘みやすい。
持手部１１は図２及び彫り込み部の拡大断面図を図３に示すように、手彫りによる彫り込み部１３を有し、この凹部に金箔又はプラチナ箔を二重に貼り付けてある。
彫り込み部１３の図柄に制限はない。
本実施例は梅の小枝に金箔を貼り、小枝に付いている梅の花にプラチナ箔を貼り付けた例になっている。
【００１７】
従来は図柄にメッキを施したものはあったが、本考案は手彫りの彫り込み部に金箔とプラチナ箔を施したので高級感がある。
【符号の説明】
【００１８】
１０      蓋摘み
１１      持手部
１２      引掛部
１３      彫り込み部
１４      金箔
１５      プラチナ箔
【図１】
0003218712.tif 000003
【図２】
0003218712.tif 000004
【図３】
0003218712.tif 000005
【図４】
0003218712.tif 000006
【図５】
0003218712.tif 000007
(57)【要約】      （修正有）【課題】人の頭部に適度な刺激を与え、通気性がよくなり、頭部と枕の蒸れを抑制する硬質就寝用枕を提供する。【解決手段】人の頭部を載せられる略直方体形状に形成した就寝用の木製枕であって、枕の高さが１〜１０ｃｍ、幅が８ｃｍ〜３０ｃｍ、長さが２０ｃｍ〜１３０ｃｍに形成されており、枕状面の少なくとも中心部に短手方向に凸凹１、２が形成されており、凸部１に丸みを帯びるように形成されている。【選択図】図１
0003218714.tif 000002
【実用新案登録請求の範囲】
【請求項１】
人の頭部を載せられる略直方体形状に形成した就寝用の硬質枕であって、
枕の高さが１〜１０ｃｍ、幅が８ｃｍ〜３０ｃｍ、長さが２０ｃｍ〜１３０ｃｍに形成されており、枕上面の少なくとも中心部に短手方向に凸凹が形成されており、凸部に丸みを帯びるように形成されている、ことを特徴とする硬質就寝用枕。
【請求項２】
前記の略直方体形状に形成した就寝用の硬質枕が、幅方向に傾斜を設けることを特徴とする請求項１に記載の硬質就寝用枕。
【請求項３】
前記凸凹部分の凸部と凸部の間隔が０．５ｃｍ〜３．５ｃｍであることを特徴とする請求項１または２に記載の硬質就寝用枕。
【考案の詳細な説明】
【技術分野】
【０００１】
本考案は、檜、桜や杉などの自然木や集積材及び樹脂等を材料とする硬質就寝用枕に関する。
【背景技術】
【０００２】
従来から、樫や杉などの自然木から成る木製の枕は知られている。例えば、特開２−８８０１２号公報、特許第３０１００４２号公報などに木製の就寝用枕は開示されている。
【考案の概要】
【考案が解決しようとする課題】
【０００３】
これまでの先行技術は、木製の枕の通気性を向上させるものや、就寝中に利用者の頭部が木製の枕から落ちることを防止するものなどが開示されている。
しかし、木製の枕の硬さの利点を生かすものは無かった。
【課題を解決するための手段】
【０００４】
本考案がその技術的課題を解決するために用いる技術的手段としては、以上のような課題を解決するための本考案による硬質就寝用枕は次のようなものである。
【０００５】
すなわち、人の頭部を載せられる略直方体形状に形成した就寝用の硬質枕であって、枕の高さが１〜１０ｃｍ、幅が８ｃｍ〜３０ｃｍ、長さが２０ｃｍ〜１３０ｃｍに形成されており、枕状面の少なくとも中心部に短手方向に凸凹が形成されており、凸部に丸みを帯びるように形成されている、ことを特徴とする硬質就寝用枕。
【０００６】
前記の略直方体形状に形成した就寝用の硬質枕が、幅方向に傾斜を設けることを特徴とする請求項１に記載の硬質就寝用枕。
【０００７】
前記凸凹部分の凸部と凸部の間隔が０．５ｃｍ〜３．５ｃｍであることを特徴とする請求項１に記載の硬質就寝用枕。
【０００８】
以下、添付図面及び実施例を組み合わせて本考案を更に説明する。
【考案の効果】
【０００９】
このような硬質枕の形状により、人の頭部に適度な刺激を与えることができ、凸凹部分の凹部を設けたことにより通気性がよくなり、頭部と枕の蒸れを抑制する効果がある。
【００１０】
また、前記の略直方体形状に形成した就寝用の硬質枕が、幅方向に傾斜を設けることを特徴とするものであるので、人の頸部に負担が少ないものでなり、これを好むものにとっては、好適である。
【図面の簡単な説明】
【００１１】
【図１】本考案の実施例の硬質枕の構造を示す斜視図
【図２】本考案の実施例の硬質枕の構造を示す長手方向の側面図
【図３】本考案の実施例の硬質枕の上面の構造を示す図
【図４】本考案の実施例の硬質枕の構造を示す短手方向の側面図
【図５】本考案の実施例における傾斜のある硬質枕の短手方向の側面図
【考案を実施するための形態１】
【００１２】
図１は、本発明の実施形態１による硬質就寝用枕を斜め上方向から示す斜視図である。図２はその長手方向の側面図、図３はその上面の構造を示す図、図４はその短手方向の側面図である。図１〜図４において、木製の就寝用枕は、例えば、檜、桜、樫や杉などの自然木や集積材及び樹脂等を材料とする。
【００１３】
この硬質就寝用枕の寸法は、高さが１〜１０ｃｍ、幅が８ｃｍ〜３０ｃｍ、長さが２０ｃｍ〜１３０ｃｍとなるように形成されている。
【００１４】
枕上面に短手方向に凸凹が形成されており、凸部に丸みを帯びるように形成されており、凸凹部分の凸部と凸部の間隔が０．５ｃｍ〜３．５ｃｍとなるように形成されている。
【００１５】
本発明の実施形態１の木製の就寝用枕は、枕上面の全体に凸凹が形成されている。
他の実施形態として、人の頭部を支える枕上面の中心部のみに凸凹が形成しても良い。
【００１６】
このような硬質の枕の形状により、人の頭部に適度な刺激を与え、凸凹部分の凹部により通気性がよくなる効果がある。
【考案を実施するための形態２】
【００１７】
図４は、本発明の実施形態１による硬質就寝用枕を斜め方側面方向から示す図である。この場合でも硬質就寝用枕は、例えば、檜、桜、樫や杉などの自然木や集積材及び樹脂等を材料とする。実施形態２は、前記の略直方体形状に形成した就寝用の硬質枕が、幅方向に傾斜を設けることを特徴とするものである。図５は、実施形態２における傾斜のある硬質枕の短手方向の側面図である。
【００１８】
この木製の就寝用枕の寸法は、高さが１〜１０ｃｍ、幅が８ｃｍ〜３０ｃｍ、長さが２０ｃｍ〜１３０ｃｍとなるように形成されている。
【００１９】
枕上面に短手方向に凸凹が形成されており、凸部に丸みを帯びるように形成されており、凸凹部分の凸部と凸部の間隔が０．５ｃｍ〜３．５ｃｍとなるように形成されている。
【００２０】
本発明の実施形態２の硬質就寝用枕は、枕上面の全体に凸凹が形成されている。
他の実施形態として、人の頭部を支える枕上面の中心部のみに凸凹が形成しても良い。
【符号の説明】
【００２１】
１  凸部
２  凹部
【図１】
0003218714.tif 000003
【図２】
0003218714.tif 000004
【図３】
0003218714.tif 000005
【図４】
0003218714.tif 000006
【図５】
0003218714.tif 000007
(57)【要約】      （修正有）【課題】収容した物品を容易に取り出すことができる易開封性袋を提供する。【解決手段】両側辺５にフレームシール部１を有し、底辺２にノッチ３を設けた。【選択図】図１
0003218766.tif 000002
【実用新案登録請求の範囲】
【請求項１】
両側辺にフレームシール加工を施し、底辺にノッチを設けた袋。
【考案の詳細な説明】
【技術分野】
【０００１】
本考案は、サイド部分のシール強度を強化した袋において、容易に開封可能な袋の考案である。
【背景技術】
【０００２】
セーターや着物の帯などのアパレル関連用品の包装において、透明度に優れるＯＰＰ（Ｏｒｉｅｎｔｅｄ  Ｐｏｌｙｐｒｏｐｙｌｅｎｅ）、すなわち二軸延伸ポリプロピレン製の袋が用いられることが多い。しかし、ＯＰＰには、切れ目や接合部から裂けやすいという特性がある。そのため、物品を包装する際に袋を破いてしまうことがあった。
【０００３】
これに対応するため、サイド部分の接合におけるシール強度を強化した、フレームシール袋が用いられてきた。しかし、フレームシール袋は接合部を引き裂くことが困難であるため、開封が容易でないという問題があった。
【特許文献１】公開特許公報２００１−１３０６３６号
【特許文献２】公開特許公報２００３−３４１６８７号
【考案の概要】
【考案が解決しようとする課題】
【０００４】
物品を収容した袋を封緘する際に、粘着テープを用いることがある。こうした袋の開封において、粘着テープを剥がしたり切り裂いたりすることがあるが、粘着強度やテープの材質によっては、剥がしたり切り裂いたりするのが容易でない場合がある。その場合、袋を側辺に沿って引き裂いて物品を取り出すことがあるが、フレームシール袋の場合、サイドのシール強度が強く、引き裂くことが容易ではない。そのため、収容した物品を容易に取り出すことができないという問題があった。
【課題を解決するための手段】
【０００５】
本考案は、両側辺にフレームシール加工を施し、底辺にノッチを設けた袋を提供する。
【考案の効果】
【０００６】
本考案の袋は、袋の底辺に設けられたノッチから袋を切り、さらに袋の外側方向に引っ張ることにより、側辺のフレームシール部が引き裂き方向を誘導するガイドとなる。これにより、袋の側辺の一方が開放され、最終的に上辺の開口とつながる。したがって、袋を構成する４辺のうちの２辺が開放された状態となり、収容した物品を容易に取り出すことができる。
【図面の簡単な説明】
【０００７】
【図１】本考案の易開封性袋の平面図である。
【図２】本考案の易開封性袋を、ノッチに沿って切り裂いた状態を示す図である。
【図３】本考案の易開封性袋のフレームシール部を、袋の外側方向に引っ張った状態を示す図である。
【図４】本考案の易開封性袋の２辺が開放された状態を示す図である。
【考案を実施するための形態】
【０００８】
以下、本考案を図面に基づいて説明する。
【０００９】
図１において、本考案の易開封性袋は、上辺が開放されており、両側辺にフレームシール部を有し、底辺にノッチを有する。ここで、ノッチはＩノッチ、Ｖノッチなど、任意の形状のノッチであり得る。ノッチは、袋として形成する製造ラインで設けてもよく、または形成後の後工程においてノッチを設ける加工を行ってもよい。
【００１０】
図２において、本考案の易開封性袋は、底部にノッチを有する。ノッチにより、袋を切り裂くために加えた力が集中し、ハサミやカッターナイフ等の道具を用いることなく、小さな力で容易に切り裂くことができる。
【００１１】
図３において、フレームシール部は、袋の他の部分と比較して相対的に強度が高い。そのため、フレームシール部によって引き裂き方向が誘導され、フレームシール部の境界線に沿って袋を破ることができる。
【００１２】
図４において、フレームシール部の境界線に沿って袋を破った後は、側辺の一方および上辺が開放され、内容物を容易に取り出すことができる。
【符号の説明】
【００１３】
１  フレームシール部
２  底辺
３  ノッチ
４  上辺
５  側辺
【図１】
0003218766.tif 000003
【図２】
0003218766.tif 000004
【図３】
0003218766.tif 000005
【図４】
0003218766.tif 000006
(57)【要約】      （修正有）【課題】局所空調機の空調範囲を拡大することを特徴とする建物を提供する。【解決手段】複数の部屋のうち一部の部屋２をチャンバー化した建物１であって、一部の部屋２には、局所空調機４を設置するとともに、一部の部屋２と他の部屋３との間に送風機７とダクト８を設け、局所空調機から排出される冷気・暖気が一部の部屋２に一旦供給された後、ダクト８を経由して、空調を必要とする他の部屋３に供給される。このようにすることにより、局所空調機１台で空調出来る範囲が拡大され、複数の部屋が空調できるようになる。【選択図】図１
0003218741.tif 000002
【実用新案登録請求の範囲】
【請求項１】
建物の一部をチャンバー化して、送風機とダクトを用いることにより、局所空調機の空調範囲を拡大することを実用新案登録請求の範囲とする。
【考案の詳細な説明】
【技術分野】
【０００１】  この考案は建物の一部をチャンバー化して、送風機とダクトを用いることにより、局所空調機の空調範囲を拡大する技術に関するものである。
【背景技術】
【０００２】  建物の空調の方法は、局所空調機を取り付けて個別の部屋単位に空調する場合（図２）や、ダクト型の空調機で広い範囲を空調する場合（図３）、その両方の組み合わせ（局所空調機とダクト型空調機の組み合わせ）の場合などがある。
【考案の概要】
【考案が解決しようとする課題】
【０００３】  局所空調機で部屋単位を空調する場合は、図２に示すように壁もしくは天井に多数の空調機を取り付けることになる。多数の空調機を取り付けるため、初期費用として材料費・施工費が掛かるだけでなく、将来の修理も同様に台数分掛かることになり高コストである。
ダクト型の空調機は、個別空調機よりは少ない台数の本体で空調出来るものの、元々施工費・材料費が高いため高コストとなる。
【課題を解決するための手段】
【０００４】  以上の課題を解決するため、局所空調機を設置したひとつの部屋（空間で良い）をチャンバー化して、局所空調機からチャンバー化された部屋に供給された冷気・暖気を、送風機とダクトを用いて間接的に、他の複数の部屋に供給する。
【考案の効果】
【０００５】  チャンバー化された部屋に供給された冷気・暖気は、送風機・ダクトを用いて間接的に別の部屋に供給されるため、局所空調機１台でダクト型空調機のように広い範囲を空調出来るようになる。
【図面の簡単な説明】
【０００６】
【図１】この考案の一実施形態を示す建物の断面図である。
【図２】一般的な建物での局所空調を示す断面図である。
【図３】一般的な建物でのダクト型空調を示す断面図である。
【考案を実施するための形態】
【０００７】  この考案の一実施形態を、図１に示す。
４の局所空調機から排出される冷気・暖気（５）はチャンバー化された部屋（２）に一旦供給される。局所空調機から排出された冷気・暖気は、７の送風機に吸い込まれダクト（８）を経由して、空調を必要とする複数の部屋（２）に供給される。
【０００８】「実施形態の効果」
一般的な局所空調よりも非常に少ない台数で建物を空調することが可能となり、初期費用もメンテナンス費用ともに大幅に低減する。ダクト型空調と近い空調となるもの初期費用は大幅に低減できる。空調だけでなく換気システムについても空気の供給を補助するため、換気システムのコスト低減に繋げられる。
【符号の説明】
【０００９】１  建物      ２  チャンバー化された部屋    ３  空調を必要とする部屋
４  局所空調機    ５  局所空調機から供給される冷気・暖気
６  送風機に吸い込まれる冷気・暖気      ７  送風機
８  送風機から供給される冷気・暖気を部屋に供給するダクト
９  送風機・ダクトを経由して供給される冷気・暖気
１０  ダクト型空調機
１１  ダクト型空調機から供給される冷気・暖気を部屋に供給するダクト
１２  ダクト型空調機・ダクトを経由して供給される冷気・暖気
【図１】
0003218741.tif 000003
【図２】
0003218741.tif 000004
【図３】
0003218741.tif 000005
【手続補正書】
【提出日】平成30年8月21日(2018.8.21)
【手続補正１】
【補正対象書類名】実用新案登録請求の範囲
【補正対象項目名】全文
【補正方法】変更
【補正の内容】
【実用新案登録請求の範囲】
【請求項１】
複数の部屋のうち一部の部屋（２）をチャンバー化した建物であって、前記一部の部屋（２）には、局所空調機（４）を設置するとともに、前記一部の部屋（２）と他の部屋（３）との間に送風機（７）とダクト（８）を設け、局所空調機から排出される冷気・暖気が前記一部の部屋（２）に一旦供給された後、前記ダクト（８）を経由して、空調を必要とする前記他の部屋（３）に供給されるようにすることにより、局所空調機の空調範囲を拡大することを特徴とする建物。
(57)【要約】      （修正有）【課題】便座のフタを開けたままの不潔性、美観性、及び利便性を改善する洋式便器のフタにつける取っ手を提供する。【解決手段】金属、プラスチック、ゴムまたはシリコンでできた長方形の板を十字型にし、片方の面を便座カバーの側面に両面テープで貼り付け固定し、それをさらに固定するために十字型の片方を中心から伸ばして、フタの上部から裏まで両面テープで固定し、十字型の中央部には穴を開け、取っ手の下部はネジ状に作り、十字型の中央部の穴にネジで取り付け、取り外し可能とする。【選択図】図１
0003218745.tif 000002
【実用新案登録請求の範囲】
【請求項１】
金属、プラスチック、ゴムまたはシリコンでできた長方形の板を十字型にし、片方の面を便座カバーの側面に両面テープで貼り付け固定し、それをさらに固定するために十字型の片方を中心から伸ばして、フタの上部から裏まで両面テープで固定し、十字型の中央部には穴を開け、取っ手の下部はネジ状に作り、十字型の中央部の穴にネジで取り付け、取り外し可能な洋式便器のフタにつける取っ手。
【考案の詳細な説明】
【技術分野】
【０００１】
本考案は、洋式便器のフタの開閉を容易にするための取っ手に関するものである
【背景技術】
【０００２】
洋式便座のフタが何のためにあるのかというと、理由１．便器の中に溜まっている水が、便座のフタをあけたままだと蒸発し、トイレの中の壁紙や床がカビ易くなる理由２．医療的に、汚水やいた汚物、菌が飛び散って不潔である。下痢をして場合、便を含んだ汚水が便器の外に飛び散ることがあり、トイレの中にいる人の身体や衣類につくことが考えられ、非常に不潔である。他の人に病気を感染させることも考えられる。理由３．便器のフタを閉めないと、男性が便座を上げて小便をし、そのままにしておくことがあり、次にトイレを使用した人が便座に直接座ってしまうことがある。夜間は特に考えられる。理由４．便座のフタを閉めておくと、節電になる。
理由５．便座のフタを閉めておくと、便器の中に物を落とすことを防止できる。洋式便座のフタを閉めたいが、フタに触ると便器に触っているようで気持ちが悪い。そこでフタに直接触らずに取っ手をフタの側面に両面テープで取り付けることにした。しかし一日のうち何回も開閉するために取っ手は簡単に取れてしまうことが多い。そこでフタの側面に、取っ手を両面テープがついた下地で固定し、十字にも同様な下地で固定する。取っ手を支える部分はネジ式に作り、取っ手だけをを自分の好みの取っ手に交換できるようにする。
【考案の概要】
【考案の効果】
【０００３】
本考案の洋式便座のフタに取り付ける取っ手をつけることにより、便座のフタを開けたままの不潔性、美観性、利便性を防げる。
【図面の簡単な説明】
【０００４】
【図１】本考案の洋式便座のフタにつける取っ手の取り付け方法は、金属やプラスチック・シリコンなどでできた長方形の板面を十字型にし片方の面を便座カバーの側面に両面テープで貼り付け固定し、それをさらに固定するために、十文字の片方を中心から伸ばし、フタの上部から裏の部分まで、両面テープで固定し、簡単にとれないようにする。そして、縦横の中心の部分から、ネジの形状の取っ手を出す。取っ手の下部はネジ状に作り、取っ手の種類を数種類作成し、取り替えられるようにし、トイレの雰囲気を変えることもできる。十字型に作成した板の中央部にネジの形状を持つ、取り外し可能な洋式便器のフタの取って。
【図２】トイレノ蓋に取り付けた図面。外れないように強く固定する。
【実施例】
【０００５】
洋式便器のフタを閉めておくと、トイレの中の壁紙や床がカビにくくなる．
医療的に、汚水や汚物、菌が飛び散ることがなくなる。
次にトイレを使用した人が便座に直接座ってしまう。
便座のフタを閉めておくと、節電になる。
便座のフタを閉めておくと、便器の中に物を落とすことを防止できる。
【図１】
0003218745.tif 000003
【図２】
0003218745.tif 000004
(57)【要約】      （修正有）【課題】名刺に穴を開けずに資料と一体化でき、取り出すことが用意であるとともに、透明性が高く収容した状態で名刺を読み取ることができる名刺用袋を提供する。【解決手段】名刺用袋の材料として、ＯＰＰフィルムを使用する。ＯＰＰには透明性が高いという特長があるため、袋内に収容した名刺を読み取る際の妨げにならない。また、名刺用袋は、一方の面に粘着部を有する。これにより、紙やクリアファイルなどに押圧するだけで、名刺を容易に貼付することができる。【選択図】図２
0003218748.tif 000002
【実用新案登録請求の範囲】
【請求項１】
名刺サイズより若干大きい寸法に形成された、少なくとも一方の面が透明であり、一方の面に粘着部を有するＯＰＰフィルムの袋。
【請求項２】
帯電防止処理が施された、請求項１に記載のＯＰＰフィルムの袋。
【考案の詳細な説明】
【技術分野】
【０００１】  本考案は、名刺の外観が低下することを避け、また、名刺と資料等とを一体化し、連絡等における利便性を高めるための袋の考案である。
【背景技術】
【０００２】  従来、資料と名刺とをそれぞれ渡した場合、別々に保管すると、連絡を取る必要ができた際に名刺を探す必要があるという不都合があった。
【先行技術文献】
【特許文献１】公開実用新案公報平５−９４８７５号
【考案の概要】
【考案が解決しようとする課題】
【０００３】  商談において、資料と名刺を渡す場合、資料に名刺をステイプラーで留めて渡すことがある。しかし、この方法では、名刺を取り外すには手間がかかり、名刺自体にも穴が空く。そのため、用が済んだら資料と一緒に名刺も処分されることが多く、長期的な関係を築くには不向きであるという問題があった。【０００４】  特許文献１には、名刺を収容可能なポケット状の袋がついた、剥離紙をはがすと接着可能なラベルが開示されている。しかし、袋紙については透明若しくは半透明の材料という記載があるが、紙である以上、透明性にも限度があるという課題があった。
【課題を解決するための手段】
【０００５】  本考案は、名刺サイズより若干大きい寸法に形成された、少なくとも一方の面が透明であり、一方の面に粘着部を有するＯＰＰフィルムの袋である。
【考案の効果】
【０００６】  上記課題を解決するため、本考案では名刺用袋の材料としてＯＰＰフィルムを使用する。ＯＰＰフィルムとは、Ｏｒｉｅｎｔｅｄ  Ｐｏｌｙｐｒｏｐｙｌｅｎｅの略で、２軸延伸ポリプロピレンのフィルムを指す。ＯＰＰには透明性が高いという特長があるため、袋内に収容した名刺を読み取る際の妨げにならない。【０００７】  本考案の名刺用袋は、一方の面に粘着部を有する。これにより、紙やクリアファイルなどに押圧するだけで、名刺を容易に貼付することができる。名刺を入れた袋を資料に貼付して渡すことにより、資料と名刺を一体的に取り扱うことができる。【０００８】  ステイプラーで留める場合と異なり、名刺に穴を開けずに資料と一体化させることができる。また、名刺を取り出すことが容易であるため、資料を処分する場合も、名刺は残しておくことができる。そのため、名刺付きの資料を渡した相手と、長期的な関係を築くことができる。
【図面の簡単な説明】
【図１】図１は、本考案の名刺用袋の平面図である。
【図２】図２は、本考案の名刺用袋に、名刺を挿入中の状態を示す図である。
【図３】図３は、本考案の名刺用袋を用いて、名刺をクリアファイルに貼付した状態を示す図である。
【考案を実施するための形態】
【０００９】  以下、本考案を図面に基づいて説明する。
図１において、名刺用袋の開口部以外の各辺は、名刺が出ないよう閉じた構造になっている。また、名刺用袋は一方の面に粘着部を有する。その上に図示していない剥離用テープを付与してもよい。
【００１０】  なお、名刺のサイズとしては、東京４号または大阪９号と呼ばれる、長辺９１ｍｍ、短編５５ｍｍのものが一般的である。しかし、女性名刺とも呼ばれる３号（長辺８５ｍｍ、短編４９ｍｍ）、欧米サイズと呼ばれる長辺８９ｍｍ、短編５１ｍｍのものなど、多数の規格がある。本考案における名刺のサイズはこれらを含むが、これらに限定されるものではない。
【００１１】  図２において、名刺用袋は少なくとも一方の面が透明である。そのため、袋に入れた状態で、名刺に記載された情報を判読可能である。
【００１２】  名刺用袋には、名刺に記載された情報の読み取りを妨げない程度に、印刷が施されてもよい。印刷の方法として、例えばグラビア印刷が挙げられるが、これに限定されるものではない。
【００１３】  図３において、名刺用袋は粘着部を他の物品、例えばクリアファイルに押圧することにより、容易に貼付することが可能である。
【００１４】  本考案の一態様において、名刺用袋は、帯電防止処理が施されている。これにより、保管時に埃等が付着するのを抑制することができる。さらに、名刺を挿入する際に、手にまとわりつかず、作業効率を向上させることができる。
【符号の説明】  １  名刺用袋
２  粘着部
３  名刺
４  クリアファイル
【図１】
0003218748.tif 000003
【図２】
0003218748.tif 000004
【図３】
0003218748.tif 000005
(57)【要約】      （修正有）【課題】子供を健康被害から守ることが出来るタバコ煙室外排出装置を提供する。【解決手段】タバコ煙室外排出装置は、換気ファンと先端部にファンを取り付け可能な可とう性のホースとホースの後端部を窓枠に取り付け可能とするホース取り付け部を有している。ホースは伸縮性を有している。本考案は煙を漂わせることなくストレートに配管ホースに誘導させ部屋のタバコの匂いや煙を失くすものです。ホース室内側に取りつけた換気ファンにより煙を吸引するので家族、子供を受動喫煙から守ることができる。【選択図】図３
0003218743.tif 000002
【実用新案登録請求の範囲】
【請求項１】
換気ファンと先端部に前記ファンを取り付け可能な可とう性のホースと前記ホースの後端部を窓枠に取り付け可能とするホース取り付け部を有しているタバコ煙室外排出装置。
【請求項２】
前記ホースが伸縮性を有している請求項１に記載のタバコ煙室外排出装置。
【考案の詳細な説明】
【技術分野】
【０００１】  本考案は室内のタバコの煙を強制的に外に排出し同室の匂いや煙を失くし同室又は同家にいる人や子供から受動喫煙をなくし空気や部屋を清潔にする。
【背景技術】
【０００２】  換気扇はいろいろあります  壁にかかっている物又デスクの中に組み込まれているものもあります、家の中でタバコを吸う人がいると部屋も廊下も匂いや煙で満つる  又部屋も汚れる。タバコの煙から子供や家族を守るために壁にかかっている換気扇やデスクの中に組みこまれている換気扇もあります。【０００３】  従来の換気扇では煙が部屋に充満した後に換気扇に又デスクの換気扇に吸い込まれる。
デスク上に作るには設備が必要であり又移動しにくい。
【課題を解決するための手段】
【０００４】  換気ファンと先端部に前記ファンを取り付け可能な可とう性のホースと前記ホースの後端部を窓枠に取り付け可能とするホース取り付け部を有しているタバコ煙室外排出装置。
前記ホースは伸縮性を有している。
【考案の効果】
【０００５】  タバコを吸う人の煙や匂いがホースの中のファンによって吸収されるので煙が漂うことなく匂いも吸収され部屋や廊下も清潔です。
同室にいる家族を受動喫煙から守ることが出来ます。
又灰皿は開閉密閉式にして吸いがらをとじ込めます。
【図面の簡単な説明】
【０００６】
【図１】タバコ煙室外排出装置を窓枠に取りつけた場合の平面図
【図２】タバコ煙室外排出装置を窓枠に取りつけた場合の正面図
【図３】タバコ煙室外排出装置を窓枠に取りつけた場合の使用状態図
【考案を実施するための形態】
【０００７】  窓枠３をつくり窓枠３に伸縮性ホース２（２ｍ〜３ｍ）の一端をとりつける、伸縮性ホース２の他端の入口から１０ｃｍ位奥に換気ファン１を取りつける。ホースは伸縮性と可とう性を備え室内で自由に移動させる事によりタバコを吸う人の手許又は近くに簡易三脚６で立てて置き煙を漂わせることなくストレートにホースの中に吸いこませる。
そうすることによって煙や匂いが部屋や囲りの人に届かなく受動喫煙をなくし、空気、部屋は匂いもなくクリーンです。
【実施例】
【０００８】  以下添付図面に従って実施例を説明する
換気ファン１のスイッチ５はホース外側に設けられる。
伸縮性ホース２は自在に動かすことができる。
窓枠３は直径１０ｃｍの穴が設けられたプレートで構成され穴の上方には伸縮ホース２を引掛けるフック４が設けられている。窓枠３は上下に伸縮して窓の高さに合わせて固定できる。
【符号の説明】
【０００９】１、換気ファン
２、伸縮性ホース
３、窓枠
４、フック
５、スイッチ
６、簡易三脚
【図１】
0003218743.tif 000003
【図２】
0003218743.tif 000004
【図３】
0003218743.tif 000005